(57)【要約】【課題】消費電流を低減可能な液晶駆動用半導体集積回路の提供。【解決手段】各ＣＯＭの選択切り換えタイミングにおいて任意の時間を発生し前記タイミングにおいて全コモン出力端子、全セグメント出力端子を前記任意の一つの電圧に接続し、液晶パネル内に存在する全ての画素容量の両端をショートし前記画素容量に充電された電荷を全て放電させる。前記タイミングの後に本来出力すべき電圧レベルを各ＣＯＭ出力端子、各ＳＥＧ出力端子から出力し、液晶駆動用半導体集積回路から液晶パネルへ供給する電流を低減する。【選択図】　　図１
2004012566.tif 000002
【特許請求の範囲】
【請求項１】
液晶パネルに配置された複数のコモン電極と、
前記液晶パネルに配置された複数のセグメント電極と、
前記コモン電極を駆動するための複数のコモン出力端子と、
前記ゼクスメント電極を駆動するための複数のセグメント出力端子と、を備え、
前記液晶パネルに印加する複数の液晶駆動用電源を発生する液晶駆動用電圧発生回路と、
前記複数の液晶駆動用電源の内一つを選択し前記コモン出力端子、及び前記セグメント出力端子へと接続する駆動回路と、を前記コモン出力端子、及び前記セグメント出力端子毎に備え、
前記コモンの選択切り換えタイミングに任意の時間を発生するタイミング発生回路と、
前記タイミング発生回路により発生された第１のタイミングにセグメント出力端子に接続される前記液晶駆動用電源と全ての前記セグメント出力端子とを全て切り離す全ての前記セグメント端子に配置された第１のスイッチ回路と、
前記第１のタイミングに前記コモン出力端子に接続される前記液晶駆動用電源と、全ての前記コモン出力端子と、を切り離す全ての前記コモン端子に配置された第２のスイッチ回路と、
前記タイミング発生回路により生成された第２のタイミングに前記液晶駆動用電圧発生回路から生成された任意の電圧と、全ての前記セグメント出力端子と、を接続する全ての前記セグメント端子に配置された第３のスイッチ回路と、
前記第２のタイミングに前記任意の電圧と、全ての前記コモン出力端子と、を接続する全ての前記コモン端子に配置された第４のスイッチ回路と、を備えたことを特徴とする液晶駆動用半導体集積回路装置。
【請求項２】
前記液晶駆動用半導体集積回路装置は前記タイミング発生回路により発生された任意のタイミングにおいて全ての前記コモン出力端子、全ての前記セグメント出力端子を前記任意の一つの電圧に接続することにより前記液晶パネル内に存在する全ての画素容量の両電極をショートし前記画素容量に充電された電荷を全て放電させることを特徴とする液晶駆動用半導体集積回路装置。
【請求項３】
前記駆動回路は前記複数の液晶駆動用電源の内一つを選択し前記コモン出力端子、前記セグメント出力端子へと接続する複数の第５のスイッチ回路で構成され、前記第１のタイミングにおいて第５のスイッチ回路を全て非接続状態にすることを特徴とする液晶駆動用半導体集積回路装置。
【請求項４】
前記第５のスイッチ回路は、第３のスイッチ回路、第４のスイッチ回路が前記第２のタイミングにおいて全ての前記セグメント出力端子、全ての前記コモン出力端子と接続する任意の一つの電圧が第５のスイッチ回路の前記第１のタイミングと前記第２のタイミング以外のタイミングにおいて、前記セグメント出力端子、前記コモン出力端子と接続する複数の液晶駆動用電源の内一つと同じである場合には、前記第２のタイミングにおいて第５のスイッチ回路の対応するスイッチ回路を接続状態にすることを特徴とする液晶駆動用半導体集積回路装置。
【発明の詳細な説明】
【０００１】
【発明の属する技術分野】
本発明は液晶駆動用の半導体集積回路に関し、特に液晶を駆動するための駆動回路の改良に関するものである。
【０００２】
【従来の技術】
液晶表示パネルは多数の配線電極を有する２枚のパネルを、各電極が互いに交差して向かい合う様に配置し、その電極間に液晶を挟み込んだ構成である。これを表示するには、２枚のパネルのそれぞれの電極に所定の電圧を印加することにより、液晶に電圧が印加することによって表示する。液晶表示パネルの配線電極のうち横方向に導出されている電極をコモン（ＣＯＭ）電極または走査電極と称し、縦方向に導出されている電極をセグメント（ＳＥＧ）電極またはデータ電極と称する。ＣＯＭ電極は液晶駆動用半導体集積回路のＣＯＭ出力端子により周期的に走査され、選択値、非選択値でドライブされる。ＳＥＧ電極は液晶駆動用半導体集積回路のＳＥＧ出力端子により表示信号により制御されドライブされ、ＣＯＭ電極ラインと交差している点を表示するか、非表示にするかにより選択値、非選択値を出力する。また液晶の特性の劣化を抑制するため任意のタイミング毎に液晶に印加される電圧の極性を反転させている。
【０００３】
図４は液晶表示パネルの等価回路図である。図４では簡略化してＣＯＭ電極の数（ｍ）をｍ＝３としてＳＥＧ電極の数（ｎ）をｎ＝３として図示している。液晶表示パネル８ではコモン電極ＣＯＭ１，ＣＯＭ２，ＣＯＭ３及びＳＥＧ電極ＳＥＧ１，ＳＥＧ２，ＳＥＧ３が配置され各々のＣＯＭ電極，ＳＥＧ電極が交差する点に液晶容量Ｃｐｍｎ（ｍ＝１〜３、ｎ＝１〜３）が構成される。各ＣＯＭ電極、ＳＥＧ電極は図示しない液晶駆動用半導体集積回路のＣＯＭ出力端子ＣＯＭ１、ＣＯＭ２，ＣＯＭ３、ＳＥＧ出力端子ＳＥＧ１，ＳＥＧ２，ＳＥＧ３と接続される。
【０００４】
図５は従来の液晶駆動用半導体集積回路１のブロック図である。液晶駆動用半導体集積回路１はｍ個のＣＯＭ出力端子とｎ個のＳＥＧ出力端子を有する。液晶駆動用半導体集積回路１は液晶パネルの各電極と接続されるＣＯＭ出力端子ＣＯＭ１、ＣＯＭ２、…、ＣＯＭｍとＳＥＧ出力端子ＳＥＧ１、ＳＥＧ２、…、ＳＥＧｎと液晶に印加する電圧を発生する液晶駆動用電圧発生回路２と各ＣＯＭ出力端子毎にそれぞれ配置されたＣＯＭ駆動回路３と各ＳＥＧ出力端子毎にそれぞれ配置されたＳＥＧ駆動回路４とタイミング発生回路５と図示しない制御回路により構成される。液晶駆動電圧発生回路２の複数の出力Ｖ０、Ｖ１、…、Ｖ５はＣＯＭ駆動回路３及びＳＥＧ駆動回路４へ入力される。
【０００５】
各ＣＯＭ信号を発生する構成はＣＯＭ１，ＣＯＭ２、…、ＣＯＭｍで同じであるためＣＯＭ１について説明する。ＣＯＭ駆動回路３はＭＯＳスイッチＳＷＣ１、ＳＷＣ２、…、ＳＷＣ４で構成され制御信号Ｃ１１、Ｃ１２、…、Ｃ１４により制御される。ＳＷＣ１、ＳＷＣ２、…、ＳＷＣ４の一方の電極はＣＯＭ１出力端子に接続され他方の電極は液晶駆動電圧回路の出力のいずれかに接続されている。各ＳＥＧ信号を発生する構成はＳＥＧ１，ＳＥＧ２、…、ＳＥＧ３で同じであるためＳＥＧ１について説明する。ＳＥＧ駆動回路４はＭＯＳスイッチＳＷＳ１、ＳＷＳ２、…、ＳＷＳ４で構成され制御信号Ｓ１１、Ｓ１２、…、Ｓ１４により制御される。ＳＷＳ１、ＳＷＳ２、…、ＳＷＳ４の一方の電極はＳＥＧ１出力端子に接続され他方の電極は液晶駆動電圧回路の出力のいずれかに接続されている。
【０００６】
図６は従来の液晶駆動用半導体集積回路のパネル駆動のタイミングチャートである。
【０００７】
ＣＯＭ出力端子ＣＯＭ１と図示しないＣＯＭ２，ＣＯＭ３、…、ＣＯＭｍは周期的に走査され選択時には各々の極性においてＶ０、Ｖ５レベルが出力され非選択時には各々の極性においてＶ１、Ｖ４レベルが出力される。ＳＥＧ出力端子ＳＥＧ１，ＳＥＧ２，…、ＳＥＧｎはＣＯＭ電極ラインとＳＥＧ電極ラインが交差する点を表示、非表示にするかを設定する表示信号により表示時には各々の極性においてＶ０、Ｖ５レベルが出力され非表示時には各々の極性においてＶ２、Ｖ３レベルが出力される。
【０００８】
【発明が解決しようとする課題】
図５の例に見られる様な液晶駆動用半導体集積回路では表示信号によっては各ＣＯＭ切り換えタイミングにおいて全ＳＥＧ出力端子が非表示、表示の電圧レベル間で変化する場合がある。この時、各液晶容量Ｃｐで消費される電流は最大となる。この時の電流はＶ０とＶ１、Ｖ１とＶ２、Ｖ３とＶ４との電圧レベル差をΔＶ、一つのＣＯＭが選択される時間をΔｔとするとＩ＝Ｃｐ・２・ΔＶ・Δｔとなり消費電力が非常に大きくなるという問題があった。
【０００９】
また各液晶容量Ｃｐで消費される電流が大きいために前記電流を供給するＶ０、Ｖ１、…、Ｖ５レベルを発生する液晶駆動用電源回路の各信号出力の出力インピーダンスを小さくする必要がありその結果として液晶駆動用電源回路自身で消費される電流が大きくなり、消費電力が大きくなるという問題があった。また液晶駆動用電源回路の各信号出力の出力インピーダンスを小さくする必要があるため液晶駆動用電源回路の面積が大きくなり小型化できないという問題があった。本発明は、上記に鑑みＣＯＭ切り換えタイミングにおいて任意のタイミングの間、全ＣＯＭ出力端子、全ＳＥＧ出力端子を任意の一つの電圧に接続することにより液晶パネル内に存在する全ての画素容量の両端をショートし前記画素容量に充電された電荷を全て放電させることで液晶容量Ｃｐで消費される電流の最大値を低減することを目的とする。
【００１０】
【課題を解決するための手段】
本発明によれば、液晶パネルに配置された複数のＣＯＭ電極と複数のＳＥＧ電極を駆動するための複数のＣＯＭ出力端子と複数のＳＥＧ出力端子を備え、液晶パネルに印加する複数の液晶駆動用電源を発生する液晶駆動用電圧発生回路と前記複数の液晶駆動用電源の内一つを選択し前記ＣＯＭ出力端子、ＳＥＧ出力端子へと接続する駆動回路を各ＣＯＭ出力端子，ＳＥＧ出力端子毎に備えた液晶駆動用半導体集積回路において、各ＣＯＭの選択切り換えタイミングにおいて任意の時間を発生し前記タイミングにおいて全コモン出力端子、全セグメント出力端子を任意の一つの電圧に接続することにより液晶パネル内に存在する全ての画素容量の両電極をショートし前記画素容量に充電された電荷を全て放電させるようにした。前記タイミングの後に本来出力すべき電圧レベルを各ＣＯＭ出力端子、各ＳＥＧ出力端子から出力するようにしたことで液晶駆動用電圧発生回路から液晶パネルへ供給する電流を低減した。
【００１１】
【発明の実施の形態】
次に、本発明の第１の実施の形態について図面を参照して詳細に説明する。
【００１２】
図１は本発明の第１の実施の形態である液晶駆動用半導体集積回路１のブロック図である。液晶駆動用半導体集積回路１はｍ個のＣＯＭ出力端子とｎ個のＳＥＧ出力端子を有する。液晶駆動用半導体集積回路１は液晶パネルの各電極と接続されるＣＯＭ出力端子ＣＯＭ１、ＣＯＭ２、…、ＣＯＭｍとＳＥＧ出力端子ＳＥＧ１、ＳＥＧ２、…、ＳＥＧｎと液晶に印加する電圧を発生する液晶駆動用電圧発生回路２と各ＣＯＭ出力端子毎にそれぞれ配置されたＣＯＭ駆動回路３と各ＳＥＧ出力端子毎にそれぞれ配置されたＳＥＧ駆動回路４とタイミング発生回路５と図示しない制御回路により構成される。液晶駆動電圧発生回路２は複数の出力Ｖ０、Ｖ１、…、Ｖ５を発生しＣＯＭ駆動回路３及びＳＥＧ駆動回路４へ入力する。
【００１３】
各ＣＯＭ信号を発生する構成はＣＯＭ１，ＣＯＭ２、…、ＣＯＭｍで同じであるためＣＯＭ１について説明する。ＣＯＭ駆動回路３はＭＯＳスイッチＳＷＣ１、ＳＷＣ２、…、ＳＷＣ４で構成され制御信号線Ｃ１１、Ｃ１２、…、Ｃ１４により制御される。ＳＷＣ１、ＳＷＣ２、…、ＳＷＣ４の一方の電極は信号線Ｃ１に接続され他方の電極は液晶駆動電圧回路の出力のいずれかに接続される。信号線Ｃ１を一方の電極に接続したＭＯＳスイッチＳＷＣ１０は制御信号線ＯＰＥＮにより制御され他方の電極はＣＯＭ１出力端子に接続される。ＣＯＭ１出力端子を一方の電極に接続したＭＯＳスイッチＳＷＣ２０Ａ、ＳＷＣ２０Ｂは各々信号線ＳＨＯＲＴ１、ＳＨＯＲＴ２により制御され他方の電極は、液晶駆動電圧発生回路２の任意の出力に各々接続される。第１の実施例ではＳＷＣ２０Ａは信号線Ｖ１に、ＳＷＣ２０Ｂは信号線Ｖ４に接続されている。
【００１４】
各ＳＥＧ信号を発生する構成はＳＥＧ１，ＳＥＧ２、…、ＳＥＧｎで同じであるためＳＥＧ１について説明する。ＳＥＧ駆動回路４はＭＯＳスイッチＳＷＳ１、ＳＷＳ２、…、ＳＷＳ４で構成され制御信号線Ｓ１１、Ｓ１２、…、Ｓ１４により制御される。ＳＷＳ１、ＳＷＳ２、ＳＷＳ３、ＳＷＳ４の一方の電極は信号線Ｓ１に接続され他方の電極は液晶駆動電圧回路の出力のいずれかに接続される。信号線Ｓ１を一方の電極に接続したＭＯＳスイッチＳＷＳ１０は制御信号線ＯＰＥＮにより制御され他方の電極は、ＳＥＧ１出力端子に接続される。ＳＥＧ１出力端子を一方の電極に接続したＭＯＳスイッチＳＷＳ２０Ａ、ＳＷＳ２０Ｂは各々信号線ＳＨＯＲＴ１、ＳＨＯＲＴ２により制御され他方の電極は、液晶駆動電圧発生回路２の任意の出力に各々接続される。第１の実施例ではＳＷＳ２０Ａは信号線Ｖ１に、ＳＷＳ２０Ｂは信号線Ｖ４に接続されている。
【００１５】
タイミング発生回路５は図示しない制御回路から液晶駆動用の同期信号線ＣＬＫ、極性切り換え信号線Ｍ、表示信号線ＤＡＴＡが入力され各制御信号線Ｃ１１、Ｃ１２、…、Ｃ１４、Ｓ１１、Ｓ１２、…、Ｓ１４、ＯＰＥＮ、ＳＨＯＲＴ１、ＳＨＯＲＴ２と図示しないＣＯＭ２、…、ＣＯＭｍ出力端子を駆動するＣＯＭ駆動回路３及びＳＥＧ２、…、ＳＥＧｎ出力端子を駆動するＳＥＧ駆動回路４を各々制御する信号を出力する。制御信号線Ｃ１１、Ｃ１２、…、Ｃ１４はスイッチＳＷＣ１、ＳＷＣ２、…、ＳＷＣ４のＯＮ／ＯＦＦを制御しいずれか一つがＯＮするように機能する。制御信号線Ｓ１１、Ｓ１２、…、Ｓ１４はスイッチＳＷＳ１、ＳＷＳ２、…、ＳＷＳ４のＯＮ／ＯＦＦを制御しいずれか一つがＯＮするように機能する。制御信号線ＯＰＥＮはスイッチＳＷＣ１０及びＳＷＳ１０のＯＮ／ＯＦＦを制御しＣＯＭ切り換えタイミングの任意のタイミングの間、ＳＷＣ１０及びＳＷＳ１０はＯＦＦし信号線Ｃ１とＣＯＭ１出力端子とを非接続にするように機能する。同様に、信号線Ｓ１とＳＥＧ１出力端子とを非接続にするように機能する。制御信号線ＳＨＯＲＴ１は各々スイッチＳＷＣ２０Ａ、ＳＷＳ２０ＡのＯＮ／ＯＦＦを制御し極性切り換え信号線Ｍが極性正転の場合にＣＯＭ切り換えタイミングの任意のタイミングの間、スイッチＳＷＣ２０Ａ、ＳＷＳ２０ＡはＯＮし全ＳＥＧ出力端子、全ＣＯＭ出力端子を液晶駆動電圧発生回路２の任意の一つの出力に接続するように機能する。制御信号線ＳＨＯＲＴ２は各々スイッチＳＷＣ２０Ｂ、ＳＷＳ２０ＢのＯＮ／ＯＦＦを制御し極性切り換え信号線Ｍが極性反転の場合にＣＯＭ切り換えタイミングの任意のタイミングの間、スイッチＳＷＣ２０Ｂ、ＳＷＳ２０ＢはＯＮし全ＳＥＧ出力端子、全ＣＯＭ出力端子を液晶駆動電圧発生回路２の任意の一つの出力に接続するように機能する。
【００１６】
図２は本発明の第１の実施例の液晶駆動用半導体集積回路のパネル駆動のタイミングチャートである。ＣＯＭ出力端子ＣＯＭ１，ＣＯＭ２，ＣＯＭｍは同期信号線ＣＬＫに同期して周期的に走査され選択時には各々の極性においてＶ０、Ｖ５レベルが出力され非選択時には各々の極性においてＶ１、Ｖ４レベルが出力される。ＳＥＧ出力端子ＳＥＧ１，ＳＥＧ２，ＳＥＧ３は同期信号線ＣＬＫに同期してＣＯＭ電極ラインとＳＥＧ電極ラインが交差する点を表示、非表示にするかを設定する表示信号線ＤＡＴＡにより表示時には各々の極性においてＶ０、Ｖ５レベルが出力され非表示時には各々の極性においてＶ２、Ｖ３レベルが出力される。タイミング発生回路５においては制御信号ＣＬＫの立下りから任意の時間のみアクティブとなる信号ＯＰＥＮが出力され、更に制御信号ＣＬＫの立下りから任意の時間のみアクティブとなる信号ＳＨＯＲＴ１、ＳＨＯＲＴ２が出力される。理想的には信号ＯＰＥＮがアクティブとなった後、信号ＳＨＯＲＴ１またはＳＨＯＲＴ２がアクティブとなり、信号ＳＨＯＲＴ１またはＳＨＯＲＴ２が非アクティブとなった後、信号ＯＰＥＮが非アクティブとなるように動作させる。
【００１７】
図２に基ずいて本発明の動作を詳細に説明する。タイミングＴ１区間ではＣＯＭ１出力端子は極性切り換え信号Ｍと選択または非選択を設定する信号に対応した信号を出力している。ＳＥＧ１端子は極性切り換え信号Ｍと表示または非表示を設定する信号に対応した信号を出力している。ＣＯＭ１出力端子、ＳＥＧ１出力端子は液晶パネルのＣＯＭ１電極、ＳＥＧ１電極に各々接続され液晶パネルにおいてはＣＯＭ１電極とＳＥＧ１電極とを電極とする液晶容量は各々の電極に印加された電圧に対応した電荷をチャージする。タイミングＴ２区間において信号ＯＰＥＮがアクティブとなりＣＯＭ１出力端子、ＳＥＧ１出力端子はフローティング状態に設定される。液晶パネルにおいてはＣＯＭ１電極とＳＥＧ１電極とを電極とする液晶容量はタイミングＴ１区間に設定された電荷を保持している。タイミングＴ３区間においては信号ＯＰＥＮと信号ＳＨＯＲＴ１または信号ＳＨＯＲＴ２がアクティブとなりＣＯＭ１出力端子とＳＥＧ１出力端子は信号線Ｖ１又は信号線Ｖ４と接続され液晶パネルにおいてはＣＯＭ１電極とＳＥＧ１電極とを電極とする液晶容量は保持していた電荷がディスチャージされる。タイミングＴ４区間の動作はＴ２区間の動作と同様である。タイミングＴ５区間の動作はＴ１区間の動作と同様である。
【００１８】
従来の技術においては例えばタイミングＴ１区間においてＣＯＭ１電極に信号Ｖ４の電圧レベルが印加され又ＳＥＧ１電極には信号Ｖ５の電圧レベルが印加された場合、次のコモン切り換えタイミングでは上記タイミングＴ５区間の動作へと移行しＣＯＭ電極には信号Ｖ４の電圧レベルが印加されＳＥＧ１電極には信号Ｖ３の電圧レベルが印加されるためこの時のＣＯＭ１電極とＳＥＧ１電極とを電極とする液晶容量（Ｃｐ）の電荷の変化量はＱ＝Ｃｐ・（Ｖ３−Ｖ５）となる。前記電荷の変化量を液晶駆動用電圧発生回路２の信号Ｖ３から供給していた。本発明の第１の実施の形態によればＴ２区間においてＣＯＭ１電極とＳＥＧ１電極とを電極とする液晶容量の電荷は一度ディスチャージされるため液晶駆動用電圧発生回路２の信号Ｖ３から供給する電荷量はＱ＝Ｃｐ・（Ｖ３−Ｖ５）／２となり従来の場合に対して消費電流を１／２に削減できる。また液晶駆動用電圧発生回路２は図示しない例えばＭＯＳトランジスタで構成される昇圧回路、ボルテージホロワ回路で構成され、液晶駆動用電圧発生回路２の各出力Ｖ１，Ｖ１，…、Ｖ５の出力インピーダンスの特性を下げるように設定されている。前記のように本発明は液晶駆動電圧発生回路２から供給する電荷量を小さくできるため従来の構成と比較して液晶駆動用電圧発生回路２の出力インピーダンスの特性を下げる必要がないため液晶駆動用電圧発生回路２自体で消費する動作電流を低減できると同時に液晶駆動用電圧発生回路２の小型化が可能となる。
【００１９】
図３は本発明の第２の実施の形態である液晶駆動用半導体集積回路１のブロック図である。第１の実施の形態と異なる点はＣＯＭ１出力端子と信号Ｃ１とを接続、非接続に設定するＳＷＣ１０の変わりに信号線ＯＰＥＮによってＣＯＭ駆動回路３内の各スイッチＳＷＣ１，ＳＷＣ２，…、ＳＷＣ４を全てＯＦＦするような機能を信号Ｃ１１、Ｃ１２、…、Ｃ１４及び信号ＯＰＥＮを入力として信号Ｃ１１Ａ，Ｃ１２Ａ、…，Ｃ１４Ａを出力とするＣＯＭ制御回路６にもたせるようにしたことである。同様にＳＥＧ１出力端子と信号Ｓ１とを接続、非接続に設定するＳＷＳ１０の代わりに信号線ＯＰＥＮによってＣＯＭ駆動回路５内の各スイッチＳＷＳ１，ＳＷＳ２，…、ＳＷＳ４を全てＯＦＦするような機能を信号Ｓ１１、Ｓ１２、…、Ｓ１４及び信号ＯＰＥＮを入力として信号Ｓ１１Ａ，Ｓ１２Ａ、…，Ｓ１４Ａを出力とするＳＥＧ制御回路７にもたせるようにしたことである。第２の実施の形態によればＣＯＭ制御回路６及びＳＥＧ制御回路７は信号ＯＰＥＮがアクティブの場合は信号Ｃ１１〜Ｃ１４及び信号Ｓ１１〜Ｓ１４の状態に関らずＳＷＣ１、ＳＷＣ２、…、ＳＷＣ４及びＳＷＳ１、ＳＷＳ２、…、ＳＷＳ４を全てＯＦＦするような信号Ｃ１１Ａ，Ｃ１１Ａ，…、Ｃ１４Ａ及び信号Ｓ１１Ａ，Ｓ１２Ａ，…、Ｓ１４Ａを出力するため第１の実施の形態と同様の効果が得られる。
【００２０】
また第２の実施の形態においてＣＯＭ駆動回路３内の各スイッチとＳＷＣ２０Ａ，ＳＷＣ２０Ｂは一方の電極はＣＯＭ１出力端子と接続され他方の電極は液晶駆動用電圧発生回路２の各出力に接続されているがＳＷＣ２０Ａ、ＳＷＣ２０Ｂの他方の電極に接続される液晶駆動用電圧発生回路２の出力信号とＣＯＭ駆動回路３内の各スイッチの他方の電極に接続される液晶駆動用電圧発生回路２の出力信号が同一の場合にはＳＷＣ２０Ａ、ＳＷＣ２０Ｂの代わりにＳＷＣ２０Ａ、ＳＷＣ２０Ｂの機能を前記ＣＯＭ制御回路５に待たせても良い。同様に第２の実施の形態においてＳＥＧ駆動回路４内の各スイッチとＳＷＳ２０Ａ，ＳＷＳ２０Ｂは一方の電極はＳＥＧ１出力端子と接続され他方の電極は液晶駆動用電圧発生回路２の各出力に接続されているがＳＷＳ２０Ａ、ＳＷＳ２０Ｂの他方の電極に接続される液晶駆動用電圧発生回路２の出力信号とＳＥＧ駆動回路３内の各スイッチの他方の電極に接続される液晶駆動用電圧発生回路２の出力信号が同一の場合にはＳＷＳ２０Ａ、ＳＷＳ２０Ｂの代わりにＳＷＳ２０Ａ、ＳＷＳ２０Ｂの機能を前記ＳＥＧ制御回路６に待たせても良い。
【００２１】
【発明の効果】
以上述べたように、本発明によれば液晶パネルで消費される電流を低減できその結果、液晶駆動用半導体集積回路から液晶パネルへ供給する電流が低減でき商品電力を削減することができる。
【００２２】
また液晶パネルで消費される電流を低減できるため、従来の構成と比較して液晶駆動用半導体集積回路内に構成される液晶駆動用電圧発生回路の各出力の出力インピーダンスの特性を下げる必要がないため液晶駆動用電圧発生回路自体で消費する動作電流を低減できると同時に液晶駆動用電圧発生回路２の小型化が可能となる。
【図面の簡単な説明】
【図１】本発明の第１の実施の形態にかかる液晶駆動用半導体集積回路の構成図である。
【図２】本発明の第１の実施の形態にかかる液晶駆動用半導体集積回路のパネル駆動のタイミングチャートである。
【図３】本発明の第２の実施の形態にかかる液晶駆動用半導体集積回路の構成図である。
【図４】液晶表示パネルの等価回路図である。
【図５】従来の液晶駆動用半導体集積回路の構成図である。
【図６】従来の液晶駆動用半導体集積回路のパネル駆動のタイミングチャートである。
【符号の説明】
１　液晶駆動用半導体集積回路
２　液晶駆動用電圧発生回路
３　ＣＯＭ駆動回路
４　ＳＥＧ駆動回路
５　タイミング発生回路
６　ＣＯＭ制御回路
７　ＳＥＧ制御回路
８　液晶パネル
Ｃｐ　液晶容量
ＳＷＣ１〜ＳＷＣ４　ＭＯＳスイッチ
ＳＷＳ１〜ＳＷＳ４　ＭＯＳスイッチ
ＳＷＣ１０、ＳＷＣ２０Ａ、ＳＷＣ２０Ｂ　ＭＯＳスイッチ
ＳＷＳ１０、ＳＷＳ２０Ａ，ＳＷＳ２０Ｂ　ＭＯＳスイッチ
【図１】
2004012566.tif 000003
【図２】
2004012566.tif 000004
【図３】
2004012566.tif 000005
【図４】
2004012566.tif 000006
【図５】
2004012566.tif 000007
【図６】
2004012566.tif 000008